(57)【特許請求の範囲】
【請求項１】
動力源を含む本体部（１）と、前記本体部（１）に着脱自在に取り付けられる背負バンド（２ａ，２ｂ）と、を備え、作業者が前記本体部（１）を背負って作業を行う背負式作業機（１００）であって、
前記背負バンド（２ａ，２ｂ）は、帯状のクッション材（１７）を含むパッド部材（１０）と、前記パッド部材（１０）に沿う帯状のバンド本体（９）と、を有し、
前記バンド本体（９）は、前記パッド部材（１０）の上端部（１９）と分岐した上端帯状部（２７）と、当該上端帯状部（２７）を前記本体部（１）に連結するための上端連結部（１５）と、を含み、
前記本体部（１）は、前記上端連結部（１５）を取り付けるための取付部（２５）を有し、
前記パッド部材（１０）の前記上端部（１９）は、前記上端連結部（１５）が前記取付部（２５）に取り付けられると、作業者側から前記本体部（１）に当接し、下方を向いた状態に保持されることを特徴とする背負式作業機（１００）。
【請求項２】
前記上端連結部（１５）は、前記上端帯状部（２７）の末端に設けられた筒状部（２８）と、前記筒状部（２８）に挿通可能な抜止ピン（２９）と、を含み、
前記取付部（２５）は、前記上端帯状部（２７）を前記作業者側から巻きつけるための支持部（３０）と、前記支持部（３０）に巻きつけられた前記上端帯状部（２７）の前記筒状部（２８）を前記作業者側に向かって挿通可能な挿通孔（３１）と、前記挿通孔（３１）の前記作業者側の開口部を底部として前記作業者側に開放した凹部（３２）と、を含み、
前記挿通孔（３１）を通過した前記筒状部（２８）は、当該筒状部（２８）に前記抜止ピン（２９）を挿通することにより、前記挿通孔（３１）内に戻ることを妨げられ、
前記抜止ピン（２９）を挿通された前記筒状部（２８）は、前記凹部（３２）に収容されることを特徴とする請求項１記載の背負式作業機（１００）。
【請求項３】
前記パッド部材（１０）の前記上端部（１９）は、前記上端連結部（１５）を前記取付部（２５）に取り付けた状態において、前記凹部（３２）を前記作業者側から覆うことを特徴とする請求項２記載の背負式作業機（１００）。
【請求項４】
前記本体部（１）は、前記取付部（２５）に前記上端連結部（１５）を取り付ける際に、前記パッド部材（１０）の前記上端部（１９）を前記支持部（３０）の上方に回りこませることを可能とする空間部（３３）を前記支持部（３０）上に有することを特徴とする請求項２又は３記載の背負式作業機（１００）。
【発明の詳細な説明】
【技術分野】
【０００１】
本発明は、背負式作業機に関する。
【背景技術】
【０００２】
従来より、動力源を含む本体部と、本体部に着脱可能に取り付けられる背負バンドとを備え、作業者が本体部を背負って作業を行う背負式作業機が知られている（例えば、特許文献１参照）。
【先行技術文献】
【特許文献】
【０００３】
【特許文献１】特開２００７−２８９８１６号公報
【発明の概要】
【発明が解決しようとする課題】
【０００４】
しかしながら、特許文献１に記載されている背負式作業機では、背負バンドの取り付け部近傍は硬質であり、特に上側の取り付け部は作業者の肩に向かって露出しているため、作業者の肩に不快感を生じる場合があった。
【０００５】
本発明は、このような問題点を解決するためになされたものであり、背負バンドを従来と同等の作業で着脱できると共に、作業者の肩の不快感を軽減することができる背負式作業機の提供を目的とする。
【課題を解決するための手段】
【０００６】
本発明による背負式作業機（１００）は、動力源を含む本体部（１）と、本体部（１）に着脱自在に取り付けられる背負バンド（２ａ，２ｂ）と、を備え、作業者が本体部（１）を背負って作業を行う背負式作業機（１００）であって、背負バンド（２ａ，２ｂ）は、帯状のクッション材（１７）を含むパッド部材（１０）と、パッド部材（１０）に沿う帯状のバンド本体（９）と、を有し、バンド本体（９）は、パッド部材（１０）の上端部（１９）と分岐した上端帯状部（２７）と、当該上端帯状部（２７）を本体部（１）に連結するための上端連結部（１５）と、を含み、本体部（１）は、上端連結部（１５）を取り付けるための取付部（２５）を有し、パッド部材（１０）の上端部（１９）は、上端連結部（１５）が取付部（２５）に取り付けられると、作業者側から本体部（１）に当接し、下方を向いた状態に保持されることを特徴とする。
【０００７】
このような背負式作業機（１００）によれば、背負バンド（２ａ，２ｂ）の上端連結部（１５）を本体部（１）の取付部（２５）に取り付けると、クッション材（１７）を含むパッド部材（１０）の上端部（１９）は、作業者側から本体部（１）に引き寄せられて本体部（１）に当接し、下方を向いた状態に保持される。このため、背負い時には、本体部（１）の取付部（２５）近傍と作業者の肩との間にパッド部材（１０）の上端部（１９）が介在し、この上端部（１９）が含むクッション材（１７）のクッション性により、作業者の肩の不快感が軽減される。
【０００８】
ここで、上記作用を効果的に奏する構成としては、上端連結部（１５）は、上端帯状部（２７）の末端に設けられた筒状部（２８）と、筒状部（２８）に挿通可能な抜止ピン（２９）と、を含み、取付部（２５）は、上端帯状部（２７）を作業者側から巻きつけるための支持部（３０）と、支持部（３０）に巻きつけられた上端帯状部（２７）の筒状部（２８）を作業者側に向かって挿通可能な挿通孔（３１）と、挿通孔（３１）の作業者側の開口部を底部として作業者側に開放した凹部（３２）と、を含み、挿通孔（３１）を通過した筒状部（２８）は、当該筒状部（２８）に抜止ピン（２９）を挿通することにより、挿通孔（３１）内に戻ることを妨げられ、抜止ピン（２９）を挿通された筒状部（２８）は、凹部（３２）に収容されるものが挙げられる。
【０００９】
また、パッド部材（１０）の上端部（１９）は、上端連結部（１５）を取付部（２５）に取り付けた状態において、凹部（３２）を作業者側から覆うことが好ましい。この場合、パッド部材（１０）の上端部（１９）が含むクッション材（１７）のクッション性により、凹部（３２）とその周辺との段差による作業者の肩の不快感が軽減される。
【００１０】
また、本体部（１）は、取付部（２５）に上端連結部（１５）を取り付ける際に、パッド部材（１０）の上端部（１９）を支持部（３０）の上方に回りこませることを可能とする空間部（３３）を支持部（３０）上に有することが好ましい。この場合、パッド部材（１０）の上端部（１９）を支持部（３０）の上方の空間部（３３）に回り込ませることで、上端帯状部（２７）の根元部を本体部（１）の挿通孔（３１）に近づけ、筒状部（２８）を凹部（３２）から作業者側に容易に引き出すことができる。このため、筒状部（２８）への抜止ピン（２９）の挿通作業が容易になる。
【発明の効果】
【００１１】
このように本発明の背負式作業機によれば、背負バンドを従来と同等の作業で着脱できると共に、作業者の肩の不快感を軽減することができる。
【図面の簡単な説明】
【００１２】
【図１】本発明の実施形態に係る背負式作業機の側面図である。
【図２】背負バンドの側面図である。
【図３】背負バンドの前面図である。
【図４】背負枠の前面図である。
【図５】背負バンドの上端部の取付け状態を示す断面図である。
【図６】背負バンドの上端部の取付け過程を示す断面図である。
【発明を実施するための形態】
【００１３】
以下、本発明に係る背負式作業機の好適な実施形態について添付図面を参照しながら説明する。なお、各図において、同一の要素には同一の符号を付し、重複する説明は省略する。また、以下の説明において、上下、前後、左右の語は、背負式作業機を背負った作業者を基準とした方向を表すものとする。
【００１４】
図１は、本発明の実施形態に係る背負式作業機の側面図、図２は、背負バンドの側面図、図３は、背負バンドの前面図、図４は、背負枠の前面図、図５は、背負バンドの取付け状態を示す断面図、図６は、背負バンドの取付け過程を示す断面図であり、本実施形態では背負式作業機を薬剤等の散布に用いる背負式動力散布機として説明する。
【００１５】
図１に示すように、本実施形態に係る背負式動力散布機１００は、動力源を含む本体部１と、作業者が本体部１を背負うための左右一対の背負バンド２ａ，２ｂと、背負時に本体部１及び作業者の背中の間に介在する背当部材３と、を備えている。また、この背負式動力散布機１００は、本体部１から送り出された薬剤を作業者が散布する散布噴頭を備えている。なお、ここでは散布噴頭は取り外されている。
【００１６】
本体部１は、作業者が背負う背負枠４と、背負枠４の下端に連設され後側に突出した架台５とを備え、この架台５の上に、液体や粉粒体からなる薬剤（ここでは粒剤）を散布すべく圧送するための送風機６及びその動力源（ここでは内燃エンジン）７が載置され、さらに薬剤を収容するタンク８が送風機６上に載置されて構成されている。また、背当部材３は、背負枠４の前側に取り付けられている。
【００１７】
左右一対の背負バンド２ａ，２ｂの上端部は、それぞれ背負枠４の上側に着脱自在な構造で取り付けられ（図５参照）、背負バンド２ａ，２ｂの下端部は、それぞれ背負枠４の下側に着脱自在な構造で取り付けられている。そして、背負バンド２ａ，２ｂ及び背負枠４のなす左右一対のループに作業者が両肩を通し、本体部１を背負うことが可能となっている。
【００１８】
図２に示すように、背負バンド２ａ，２ｂは、帯状のクッション材１７を含むパッド部材１０と、パッド部材１０の外側（図示下側）に沿う帯状のバンド本体９と、バンド本体９の上側でバンド本体９から外側に分岐した補助バンド１１とを有している。
【００１９】
パッド部材１０は、内側（作業者側；図示上側）から順に内側カバーシート１６、クッション材１７、外側カバーシート１８を積層して構成されており、背負い時には内側カバーシート１６が作業者に接する。クッション材１７は、例えばスポンジ等の発泡材からなる。内側カバーシート１６はメッシュ材からなり、パッド部材１０と作業者との接触部が蒸れ難くなっている。外側カバーシート１８は内側カバーシート１６とは異なる素材（例えばビニールシート）からなり、素材の違いによってパッド部材１０の裏表を識別し易くなっている。パッド部材１０の長さは、背負バンド２ａ，２ｂを背負枠４に取り付けた状態において、パッド部材１０の下端部が背負枠４の下端部に位置するように設定されている。
【００２０】
バンド本体９は、作業者が肩に背負う上側バンド１２と、上側バンド１２の下端部にバックル１３を介して連結された下側バンド１４とを有しており、上側バンド１２の上端から下側バンド１４の下端までが背負バンド２ａ，２ｂの全長となっている。下側バンド１４の上端部は、バックル１３で下側に折り返されており、その折り返し位置を変えることで、下端連結部４１とバックル１３との距離を調整し、バンド本体９の全長を調整できるようになっている。バンド本体９を構成する上側バンド１２は、パッド部材１０の上端部１９と分岐した上端帯状部２７と、上端帯状部２７を背負枠４に連結するための上端連結部１５とを含んでいる。そして、パッド部材１０の上端部１９は、上端連結部１５を背負枠４の上側に連結する際に、バンド本体９から離れて背負枠４に当接し、下方に向いた状態に保持される（図１参照）。上側バンド１２の上端部及び下端部を除く部分は、パッド部材１０と縫い合わされ、パッド部材１０の長さを一定に保っている。下側バンド１４は、下側バンド１４の下端部を背負枠４に連結するための下端連結部４１を含んでいる。
【００２１】
補助バンド１１は、図２、図３及び図５に示すように、上側補助バンド２０と、上側補助バンド２０の下端部にバックル２１を介して連結された下側補助バンド２２とを有している。上側補助バンド２０の上端部は、背負枠４の上側に連結するための補助連結部２３を有している。下側補助バンド２２の下端部は、上側バンド１２に外側から縫い付けられている。下側補助バンド２２の上端部は、バックル２１で下側に折り返されており、その折り返し位置を変えることで、下側補助バンド２２の下端部とバックル２１との距離を調整し、補助バンド１１の全長を調整できるようになっている。補助連結部２３は、バンド本体９の上端連結部１５よりも上方で背負枠４に取り付けられ、補助バンド１１は、バンド本体９を背負枠４の上側に引き寄せるように作用する。この作用により、本体部１を背負う作業者側に本体部１の重心が近づき、作業者に安定した背負い心地が与えられる。また、補助バンド１１の長さを調整することにより、作業者の体形や好みに応じて背負い心地を調整することができる。
【００２２】
図３に示すように、左右一対の背負バンド２ａ，２ｂは、前方から見て左右対称となっている。背負バンド２ａ，２ｂの中央より上側は、作業者の左右外側に膨らむ湾曲をなしている。これにより、作業者の首部が左右から圧迫されにくくなっている。一方、背負バンド２ａ，２ｂの下側の中央寄り部分は、作業者の左右内側に膨らむ湾曲をなし、背負バンド２ａ，２ｂの下端部が左右外側に向けられている。これにより、背負バンド２ａ，２ｂの下端部が作業者の体側部に回りこみ、作業者に良好なフィット感が与えられる。
【００２３】
図４に示すように、背負枠４は、下端部の左右両端部に一対の取付孔２４，２４を有し、ここに、背負バンド２ａ，２ｂの下端連結部４１，４１がそれぞれ連結される。また、背負枠４は、上側に左右一対の取付部２５，２５を有し、さらにその上側（ここでは上端部）に左右一対の補助取付部２６，２６を有している。取付部２５，２５には、背負バンド２ａ，２ｂの上端連結部１５，１５がそれぞれ連結される。補助取付部２６，２６には、背負バンド２ａ，２ｂの補助連結部２３，２３がそれぞれ連結される。
【００２４】
ここで、図５及び図６を参照し、背負バンド２ａ，２ｂの上端部を背負枠４に連結する構造を説明する。図５に示すように、上側バンド１２の上端連結部１５は、上端帯状部２７の末端に設けられた筒状部２８と、筒状部２８に挿通可能な抜止ピン２９とを含んでいる。筒状部２８は、上端帯状部２７の上端を下側に折り返して縫い合わせることによって形成されている。一方、取付部２５は、上端帯状部２７を作業者側且つ上側から巻きつけるための支持部３０と、支持部３０の下方に設けられ、支持部３０に巻きつけられた上端帯状部２７の筒状部２８をつぶしながら作業者側に向かって挿通可能な挿通孔３１と、挿通孔３１の作業者側の開口部を底部として作業者側に開放した凹部３２とを含んでいる。また、支持部３０の上方には、背負枠４を前後に貫通する空間形成孔が形成されている（図３参照）。この空間形成孔により、取付部２５に上端連結部１５を取り付ける際に、パッド部材１０の上端部１９を支持部３０の上方に回りこませることを可能とする空間部３３が構成されている。
【００２５】
上端連結部１５は、上端帯状部２７を支持部３０に巻き付け、筒状部２８をつぶしながら挿通孔３１に挿通し、挿通孔３１を通過した筒状部２８に抜止ピン２９を挿通することで、取付部２５に取り付けられる。抜止ピン２９を筒状部２８に挿通する際には、図６に示すように、パッド部材１０の上端部１９が空間部３３内に入り込むように湾曲させられ、支持部３０の上方に回り込む。これにより、上端帯状部２７の根元部が挿通孔３１に近づき、筒状部２８が作業者側に引き出され、抜止ピン２９が容易に挿通される。抜止ピン２９が挿通された筒状部２８は、図５に示すように凹部３２内に収容される。凹部３２内に収容された筒状部２８は、抜止ピン２９によってつぶれが防止されるため挿通孔３１内に戻ることを妨げられ、凹部３２内に保持される。このようにして、上端帯状部２７が本体部１の背負枠４に連結される。
【００２６】
この状態において、パッド部材１０の上端部１９は、上端帯状部２７によって作業者側から本体部１の背負枠４に引き寄せられて背負枠４に当接し、下方を向いた状態に保持されると共に、凹部３２を作業者側から覆う。なお、パッド部材１０の上端部１９を下方に向いた状態に保持することは、上端帯状部２７の長さを、支持部３０の大きさ等に合わせて適切に設定することで実現されている。
【００２７】
また、図５に示すように、補助バンド１１の補助連結部２３は、上端連結部１５の各要素に対応する要素として、筒状部３５と、抜止ピン３６とを含んでいる。一方、補助取付部２６は、取付部２５の各要素に対応する要素として、支持部３７と、挿通孔３８と、凹部３９とを含んでいる。そして、補助連結部２３は、上端連結部１５を取付部２５に取り付けるのと同様にして補助取付部２６に取り付けられる。
【００２８】
以上のように構成された背負式動力散布機１００によれば、背負バンド２ａ，２ｂの上端連結部１５を背負枠４の取付部２５に取り付けると、クッション材１７を含むパッド部材１０の上端部１９は、作業者側から背負枠４に引き寄せられて背負枠４に当接し、下方を向いた状態に保持されるため、背負い時には、背負枠４の取付部２５近傍と作業者の肩との間にパッド部材１０の上端部１９が介在し、この上端部１９が含むクッション材１７のクッション性により、作業者の肩の不快感が軽減される。
【００２９】
また、パッド部材１０の上端部１９の末端が下方を向いた状態に保持されると、上端部１９の根元は上方を向いた状態に保持されるため、上端部１９の近傍部分がクッション材１７の弾力によって背負枠４側へ引き寄せられるように持ち上げられ、背負枠４と背負バンド２ａ，２ｂのなすループが開いた状態に保持される。さらに、パッド部材１０の下端部は、背負枠４の下端部に位置しているため、背負式動力散布機１００を床に置くとパッド部材１０の下端部が床面に当接し、背負枠４と背負バンド２ａ，２ｂのなすループはより確実に開いた状態に保持される。これにより、背負バンド２ａ，２ｂに腕を通し易くなり、本体部１を背負うのが容易になる。
【００３０】
また、上端連結部１５を取付部２５に取り付けた状態において、凹部３２がパッド部材１０の上端部１９に覆われるため、上端部１９が含むクッション材１７のクッション性により、凹部３２とその周辺との段差による作業者の肩の不快感が軽減される。
【００３１】
また、パッド部材１０の上端部１９を支持部３０の上方に回りこませることを可能とする空間部３３が形成されているため、上端部１９を支持部３０の上方に回り込ませることで、上端帯状部２７の根元部を挿通孔３１に近づけ、筒状部２８を凹部３２から作業者側に容易に引き出すことができ、筒状部２８への抜止ピン２９の挿通作業が容易になる。
【００３２】
なお、本実施形態では背負式作業機を背負式動力散布機として説明したがこれに限られるものではなく、例えば背負式ブロワ、背負式噴霧機等にも応用可能である。
【符号の説明】
【００３３】
１…本体部、２ａ，２ｂ…背負バンド、１０…パッド部材、１５…上端連結部、１７…クッション材、２５…取付部、２７…上端帯状部、２８…筒状部、２９…抜止ピン、３０…支持部、３１…挿通孔、３２…凹部、３３…空間部、１００…背負式動力散布機。
【図１】
0005139496.tif 000002
【図２】
0005139496.tif 000003
【図３】
0005139496.tif 000004
【図４】
0005139496.tif 000005
【図５】
0005139496.tif 000006
【図６】
0005139496.tif 000007